(57)【特許請求の範囲】
【請求項１】
複数の通信チャネルを用いて既知シンボルおよびデータシンボルを伝送する通信システムにおける信号復調方法であって、
前記複数の通信チャネルを用いて伝送された前記既知シンボルおよび前記データシンボルを受信する工程と、
前記既知シンボルを用いて、前記各通信チャネルに対応した送受信間の伝搬路における振幅および位相に対して複数の伝搬路推定値を算出する工程と、
前記振幅に対する前記複数の伝搬路推定値の内、特定の伝搬路推定値と他の任意の伝搬路推定値とのレベル比に対応する補正値を算出する工程と、
前記補正値により補正された前記特定の伝搬路推定値を用いて、前記データシンボルの振幅と位相を変化させて合成シンボルを出力する工程と、
を含むことを特徴とする信号復調方法。
【請求項２】
前記複数の通信チャネルを用いて伝送された前記既知シンボルおよび前記データシンボルを受信する前記工程と、
前記既知シンボルを用いて、前記各通信チャネルに対応した送受信間の伝搬路における振幅および位相に対して複数の伝搬路推定値を算出する前記工程と、
前記振幅に対する前記複数の伝搬路推定値の内、特定の伝搬路推定値と他の任意の伝搬路推定値とのレベル比に対応する補正値を算出する前記工程と、
前記補正値により補正された前記共通伝搬路推定値を用いて、前記データシンボルの振幅と位相を変化させて合成シンボルを出力する前記工程と、
を複数の基地局ごとに実行し、ソフトハンドオーバーして通信する際に、各基地局のデータチャネルのシンボルの受信信号振幅が変化しないようにしたことを特徴とする請求項１に記載の信号復調方法。
【請求項３】
複数の通信チャネルを用いて複数の既知シンボルおよびデータシンボルを伝送する通信システムにおける信号復調方法であって、
前記複数の通信チャネルで伝送された前記既知シンボルおよび前記データシンボルを受信する工程と、
前記既知シンボルを用いて、前記各通信チャネルに対応した送受信間の伝搬路における振幅および位相に対して複数の伝搬路推定値を算出する工程と、
前記振幅に対する前記複数の伝搬路推定値の内、特定の伝搬路推定値と他の任意の伝搬路推定値とのレベル比に対応する補正値を算出する工程と、
前記特定の伝搬路推定値を用いて、前記データシンボルの振幅と位相を変化させ、複数の補正シンボルを出力する工程と、
さらに、前記補正値を用いて、前記複数の補正シンボルを重み付け合成し、合成シンボルを出力する工程と、
を含むことを特徴とする信号復調方法。
【請求項４】
送信ダイバーシチに対応させて、振幅と位相の補正を行う段階を含むことを特徴とする請求項１から請求項３のうちのいずれか１項に記載の信号復調方法。
【請求項５】
振幅と位相の補正シンボルに対して、さらに別途計算した重み付け補正を行い合成シンボルを出力することを特徴とする請求項４に記載の信号復調方法。
【請求項６】
複数の通信チャネルを用いて複数の既知シンボルおよびデータシンボルを伝送する通信システムに用いる受信装置であって、
前記複数の通信チャネルを用いて伝送された前記既知シンボルおよび前記データシンボルを受信する信号受信部と、
前記既知シンボルを用いて、前記各通信チャネルに対応した送受信間の伝搬路における振幅および位相に対して複数の伝搬路推定値を算出する伝搬路推定部と、
前記振幅に対する前記複数の伝搬路推定値の内、特定の伝搬路推定値と他の任意の伝搬路推定値とのレベル比に対応する補正値を算出する補正計算部と、
前記補正値により補正された前記共通伝搬路推定値を用いて、前記データシンボルの振幅と位相を変化させて合成シンボルを出力するレイク合成部と、
を備えることを特徴とする受信装置。
【請求項７】
データシンボル合成後の信号に対して送信ダイバーシチ合成を行う送信ダイバーシチ合成部を備えることを特徴とする請求項６に記載の受信装置。
【請求項８】
前記補正計算部の出力信号により伝搬路推定値出力信号を補正することを特徴とする請求項６又は請求項７に記載の受信装置。
【請求項９】
前記補正計算部の出力信号によりデータシンボル合成重みを補正することを特徴とする請求項６から請求項８のうちのいずれか１項に記載の受信装置。
【請求項１０】
送信ダイバーシチの重み計算部を備えることを特徴とする請求項６から請求項９のうちのいずれか１項に記載の受信装置。
【発明の詳細な説明】
【０００１】
【発明の属する技術分野】
本発明は、セルラＣＤＭＡ移動通信システムにおける信号復調方法および受信装置に関し、特に共通パイロットと個別パイロットを併用しかつ送信ダイバーシチ、ソフトハンドオーバーを併用したセルラＣＤＭＡ移動通信システムにおける信号復調方法および受信装置に関する。
【０００２】
【従来の技術】
スペクトル拡散通信およびスペクトル拡散通信技術を利用したＣＤＭＡシステムは、マルチパスフェージングに強いとともにデータの高速化が可能であり、さらに通信品質が良好で周波数利用効率が高いという特徴を有しているため、次世代の移動通信およびマルチメディア移動通信に有望な通信方式となっている。
このようなスペクトル拡散通信およびＣＤＭＡシステムにおける送信信号は、送信側において伝送すべき信号の帯域幅よりも、はるかに広い帯域に拡散して送信される。一方、受信側ではスペクトル拡散された信号を元の信号帯域幅に復元することにより、上述した特徴が発揮される。
【０００３】
また、「ＣＤＭＡの勢いは止まらず、次の成長市場は中国に」という記事（日経エレクトロニクスｎｏ．７４７，１９９９年７月１２日号）に記載されたように、第３世代移動通信システムでは、パイロットの構造として共通パイロットと個別パイロットが使用される。これらパイロットは、既知のシンボルが送信され、それを移動機により受信して伝搬路推定に使用される。
【０００４】
図５は、従来のＣＤＭＡシステムにおける受信部のブロック図を示している。従来のＣＤＭＡシステムでは、図５に示すように、アンテナ５１により受信されたＣＤＭＡ信号がＲＦ増幅部５２により増幅された後、周波数変換部５３により無線周波数から中間周波数またはベースバンド周波数に変換され、逆拡散／同期部５４と同期検波およびＲＡＫＥ合成機能からなる情報復調部５５を介して、復調データ５７を得る。
【０００５】
このようなＣＤＭＡ受信機では、従来の狭帯域通信に対して、逆拡散／同期部５４が付加された構成となっている。また、移動体通信は、マルチパス環境下で動作するため、その状況を把握するためのパスサーチ部５６を有しており、逆拡散／同期およびＲＡＫＥ合成すべき受信信号の複数のパスを規定する。
そして、情報復調部５５では、複数のパスで受信されたシンボルの振幅と位相に対して、既知シンボルが伝送される共通パイロットを用いて伝搬路推定値を得るとともに、その複素共役を通信チャネルの受信シンボルに複素乗算して、受信シンボルを復調する。さらに、複数の基地局と通信する、いわゆるソフトハンドオーバー時には、複数の基地局の共通パイロットを用いて伝搬路推定を行い、それぞれ複数の基地局からの通信チャネルを復調する。
【０００６】
このほかに、個別パイロットを用いるシステムでは、個別パイロットを用いて伝搬路推定を行う方式が提案されている。また、第３世代移動通信システムでは、受信特性を改善するため、電子情報通信学会技術研究報告ＲＣＳ９９−１２「Ｗ−ＣＤＭＡにおける下りリンク送信ダイバーシチの効果」に示されたように、ＳＴＴＤやＦｅｅｄ  Ｂａｃｋ型の送信ダイバーシチ、クローズドループ高速送信電力制御を、個別パイロットを有する通信チャネルに対して適用することが提案されている。
【０００７】
【発明が解決しようとする課題】
しかしながら、従来の共通パイロットを用いて伝搬路推定を行うＣＤＭＡ受信部では、ソフトハンドオーバー時に高速電力制御されると、データチャンネルのシンボルの受信信号振幅が電力制御のために各基地局によって変化するので、共通パイロットから得られる伝搬路推定値の振幅値部分と、本来得るべきデータチャネル部分の伝搬路推定値が異なってしまい、正しい復調ができないという問題があった。また、クローズドループ送信電力制御を行うための通信チャネルの電力推定値を正しく求めることができないという問題もあった。
【０００８】
また、個別パイロットを用いて伝搬路推定を行う方法では、個別パイロットがデータチャネルに対して時間多重されるが、個別パイロットに割り当てられるエネルギーが共通パイロットに比べて小さくなるため、復調特性が劣化するという問題があった。
【０００９】
また、Ｆｅｅｄ  Ｂａｃｋ型の基地局信号は、共通パイロットを用いて伝搬路推定を行う必要があるのに対して、ＳＴＴＤでは、個別パイロットを用いて復調する必要がある。したがって、Ｆｅｅｄ  Ｂａｃｋ型のダイバーシチを使用する基地局とＳＴＴＤを使用する基地局との間でソフトハンドオーバーを行おうとした場合に、一方は共通パイロットを用いて伝搬路推定を行い、他方は個別パイロットを用いて伝搬路推定を行わなければならないため、通信チャネルと共通パイロットのコード領域送信電力が異なると、うまくＲＡＫＥ合成を行うことができないという問題があった。
【００１０】
さらに、ソフトハンドオーバーと送信ダイバーシチを併用する場合には、ダイバーシチ合成の数が増加するため、回路規模が大きくなるという問題があった。
本発明は、上述した事情に鑑み提案されたもので、共通パイロットと個別パイロットが併用されるＣＤＭＡ移動通信システムにおいて、信頼度の高いＲＡＫＥ受信を実現可能な信号復調方法および受信装置を提供することを目的とする。
【００１１】
また、本発明は、送信ダイバーシチ、クローズドループ下り送信電力制御とソフトハンドオーバーが併用される場合においても、信頼度の高いＲＡＫＥ受信を実現可能な信号復調方法および受信装置を提供することを目的とする。
【００１２】
【課題を解決するための手段】
本発明の信号復調方法および受信装置は、上述した目的を達成するために、以下の特徴点を備えている。
すなわち、本発明の信号復調方法は、複数の通信チャネルを用いて既知シンボルおよびデータシンボルを伝送する通信システムにおける信号復調方法であって、
前記複数の通信チャネルを用いて伝送された前記既知シンボルおよび前記データシンボルを受信する工程と、前記既知シンボルを用いて、前記各通信チャネルに対応した送受信間の伝搬路における振幅および位相に対して複数の伝搬路推定値を算出する工程と、前記振幅に対する前記複数の伝搬路推定値の内、特定の伝搬路推定値と他の任意の伝搬路推定値とのレベル比に対応する補正値を算出する工程と、前記補正値により補正された前記特定の伝搬路推定値を用いて、前記データシンボルの振幅と位相を変化させて合成シンボルを出力する工程と、を含むことを特徴とするものである。
【００１３】
このような構成とすることにより、共通パイロットと通信チャネルで復調に使用すべき伝搬路推定値の誤差を補正し、通信チャネル受信電力を正しく計算することができるとともに、クローズドループ送信電力制御を行う際の誤差を少なくすることができる。
【００１４】
また、本発明の信号復調方法は、前記複数の通信チャネルを用いて伝送された前記既知シンボルおよび前記データシンボルを受信する前記工程と、前記既知シンボルを用いて、前記各通信チャネルに対応した送受信間の伝搬路における振幅および位相に対して複数の伝搬路推定値を算出する前記工程と、前記振幅に対する前記複数の伝搬路推定値の内、特定の伝搬路推定値と他の任意の伝搬路推定値とのレベル比に対応する補正値を算出する前記工程と、前記補正値により補正された前記共通伝搬路推定値を用いて、前記データシンボルの振幅と位相を変化させて合成シンボルを出力する前記工程と、を複数の基地局ごとに実行し、ソフトハンドオーバーして通信する際に、各基地局のデータチャネルのシンボルの受信信号振幅が変化しないようにしたことを特徴とする。
【００１５】
このような構成とすることにより、ソフトハンドオーバーと送信電力制御が併用された場合であっても、通信チャネルの復調を正しく行うことができる。
【００１６】
また、本発明に係る信号復調方法は、複数の通信チャネルを用いて複数の既知シンボルおよびデータシンボルを伝送する通信システムにおける信号復調方法であって、
前記複数の通信チャネルで伝送された前記既知シンボルおよび前記データシンボルを受信する工程と、前記既知シンボルを用いて、前記各通信チャネルに対応した送受信間の伝搬路における振幅および位相に対して複数の伝搬路推定値を算出する工程と、前記振幅に対する前記複数の伝搬路推定値の内、特定の伝搬路推定値と他の任意の伝搬路推定値とのレベル比に対応する補正値を算出する工程と、前記特定の伝搬路推定値を用いて、前記データシンボルの振幅と位相を変化させ、複数の補正シンボルを出力する工程と、さらに、前記補正値を用いて、前記複数の補正シンボルを重み付け合成し、合成シンボルを出力する工程と、を含むことを特徴とするものである。
【００１７】
このような構成とすることにより、ＲＡＫＥ合成を正しく行うことができる。また、本発明の信号復調方法は、上述した各信号復調方法において、送信ダイバーシチに対応させて、振幅と位相の補正を行う段階を含むことを特徴とするものである。
この場合、振幅と位相の補正シンボルに対して、さらに別途計算した重み付け補正を行い合成シンボルを出力することが可能である。
【００１８】
このような構成とすることにより、送信ダイバーシチを併用する場合にも本発明の信号復調方法を適用することができる。
【００２１】
本発明の受信装置は、複数の通信チャネルを用いて複数の既知シンボルおよびデータシンボルを伝送する通信システムに用いる受信装置であって、
前記複数の通信チャネルを用いて伝送された前記既知シンボルおよび前記データシンボルを受信する信号受信部と、前記既知シンボルを用いて、前記各通信チャネルに対応した送受信間の伝搬路における振幅および位相に対して複数の伝搬路推定値を算出する伝搬路推定部と、前記振幅に対する前記複数の伝搬路推定値の内、特定の伝搬路推定値と他の任意の伝搬路推定値とのレベル比に対応する補正値を算出する補正計算部と、前記補正値により補正された前記共通伝搬路推定値を用いて、前記データシンボルの振幅と位相を変化させて合成シンボルを出力するレイク合成部と、を備えることを特徴とする受信装置である。
【００２２】
このような構成とすることにより、送信ダイバーシチ合成部の数を減らすことができる。
【００２３】
また、上述した各受信装置において、前記補正計算部の出力信号により伝搬路推定値出力信号を補正することが可能である。
また、上述した各受信装置において、前記補正計算部の出力信号によりデータシンボル合成重みを補正することが可能である。
【００２４】
このような構成とすることにより、伝搬路推定値に必要な桁数を減らすことができる。
【００２５】
さらに、上述した各受信装置において、送信ダイバーシチの重み計算部を含むことが可能である。
【００２６】
【発明の実施の形態】
以下、図面に基づいて、本発明の信号復調方法及び受信装置の実施形態を説明する。
【００２７】
図１は、本発明の一実施例に係る受信装置の概略構成を示すブロック図である。
図１において、１０１−１、１０１−ｎは基地局、１０２は移動機、１０３は受信部、１０４は変調／送信部、１０５はパスサーチ部、１０６は逆拡散／同期／復調部、１０７は信号制御／補正計算部、１０８はシステム制御部、１０９はプロトコル処理部、１１０はアプリケーション部、１１１−ｌａ，１１１−１ｂ，１１１−ｎは基地局側アンテナをそれぞれ示す。なお、基地局１０１−１〜１０１−ｎはｎ個の基地局を表している。これらの基地局は、１つ以上のアンテナ１１１を備えており、２つ以上のアンテナを備える場合には、送信ダイバーシチを行う。
【００２８】
移動機１０２は、図１に示すように、１つ以上の基地局１０１−ｊ（ｊ＝１，．．．，ｎ）とソフトハンドオーバーして通信を行う。この移動機１０２では、受信信号が受信部１０３に導かれ、増幅・周波数変換等が行われる。また、移動機１０２はマルチパス環境下で動作するため、その状況を把握するためのパスサーチ部１０５を有しており、逆拡散／同期およびＲａｋｅ合成すべき受信信号の複数のパスを規定する。
【００２９】
規定されたパスは、信号制御／補正計算部１０７で選択される。この信号制御／補正計算部１０７の制御信号は、逆拡散／同期／復調部１０６に入力され、受信信号を複数のパスタイミングで逆拡散して同期がとられるとともに、シンボルの振幅と位相に対して伝搬路推定値を得て、その複素共役を通信チャネルの受信シンボルに対して各パス毎に複素乗算した後、タイミングを合わせて合成し、出力信号を得る。
【００３０】
この出力信号は、プロトコル処理部１０９により、通信プロトコルに従った信号処理がなされる。そして、プロトコル処理部１０９の出力信号は、アプリケーション部１１０に導かれる。また、アプリケーション部１１０で生じた信号は、プロトコル処理部１０９を経て、信号制御／補正計算部１０７からの制御信号とともに、変調／送信部１０４に出力され、移動機１０２から基地局１０１−ｊに対して送信される。
【００３１】
また、システム制御部１０８は、信号制御／補正計算部１０７、プロトコル処理部１０９等、システム全体の動作を制御する。なお、プロトコル処理部１０９における処理時間が問題になる場合には、信号制御／補正計算部１０７の制御信号が、直接、変調送信部１０４に入力される場合もある。
【００３２】
図２に、基地局からの送信信号フォーマットを示す。
図２に示すように、基地局から、同一周波数および同一時間に、異なるコードを用いて、共通パイロットと通信チャネルを送信する。このとき、各コードに対してコードチャネルが定義される。
【００３３】
共通パイロットチャネルは、既知のシンボル列がスロット単位で送信される。また、通信チャネルの一部には、制御データとともに１シンボル以上の既知のシンボル列が１スロットに１つ以上挿入され、個別パイロットとして送信される。両コードチャネルのスロット列は複数個組み合わされ、１つのフレームを形成し、複数フレームが送信される。通信チャネルにおける１フレーム内の各スロットの送信電力はクローズドループ電力制御となっているため、異なる電力で送信される場合がある。また、基地局がアンテナを２つ有する場合には、異なる互いに直交するシンボル列が共通パイロットとして使用される。
【００３４】
図３は、逆拡散／同期／復調部１０６および信号制御／補正計算部１０７の要部を示すプロック図である。なお、図３に示す各部分の名称は、各部分の作用あるいは機能等を表すものとなっていたり、略記されていて、以下の説明における各部分の名称とは異なる場合もあるが、その機能及び作用等は同一のものである。
【００３５】
図３に示すように、逆拡散／同期／復調部１０６への入力信号は、２つに分けられて、共通パイロット逆拡散部２０１、通信チャネル逆拡散部２０３へ入力される。
共通パイロット逆散部２０１では、共通パイロットチャネルのコードと相関がとられる。また、通信チャネル逆拡散部２０３では、通信チャネルのコードと相関がとられる。そして、共通パイロット逆拡散部２０１の出力信号は、アンテナ分離部（ＡＮＴ分離部）２０２に入力され、既知のシンボル列と相関をとることにより、基地局が２つの送信アンテナからそれぞれ送信する共通パイロットを分離する。
【００３６】
分離された後のシンボル列は、送信ダイバーシチがない場合には１つになり、送信ダイバーシチがある場合には２つになる。１つないし２つのシンボル列は、共通パイロットの伝搬路推定部（ＣＨ推定部）２０４に入力される。伝搬路推定部２０４では、複素シンボル列の平均をとることにより伝搬路推定が行われる。
【００３７】
一方、通信チャネル逆拡散部２０３の出力信号は、個別パイロットを含むシンボル列の部分と、データシンボルを含むシンボル列の２つの部分に分けられる。個別パイロットを含むシンボル列は、伝搬路推定部（ＣＨ推定部）２０５に入力される。伝搬路推定部２０５では、個別パイロットの平均をとることにより受信スロットの伝搬路推定値を得る。このとき、伝搬路推定の方式として、複数スロットの個別パイロットの平均をとる方式、または隣接するスロットの個別パイロットの振幅および位相の１次補間をとる方式等、種々の方式を用いることができる。
【００３８】
伝搬路推定部２０５の出力は、共通パイロットの伝搬路推定部（ＣＨ推定部）２０４の出力とともにチャネル間レベル比測定部（ＣＨ間レベル比測定部）２３１ヘ入力される。そして、チャネル間レベル比測定部２３１では、２つのチャネルの伝搬路推定値をもとに、共通パイロットチャネルと通信チャネルの信号レベル比を測定する。たとえば、共通パイロットからの伝搬路推定値をＡ、個別パイロットからの伝搬路推定値をＢとするとき、ｒ＝｜Ｂ｜／｜Ａ｜なるレベル比を計算し、出力する。
【００３９】
そして、出力されたレベル比に基づいて、チャネル間レベル補正部２０６において、共通パイロット伝搬路推定値を補正する。すなわち、Ａ’＝ｒ・Ａなる式により補正された伝搬路推定値Ａ’を計算し、出力する。もちろん、同一の結果を得ることが可能な前式以外の計算法をとることも可能である。このとき、Ａ’の位相はＡと同一であり、送信ダイバーシチ制御に必要な位相情報は保存されているため、Ｆｅｅｄ  Ｂａｃｋ型の送信ダイバーシチ制御を行うことができる。
【００４０】
チャネル間レベル補正部２０６の出力信号は、送信ダイバーシチ補正部２０７を経て伝搬路推定値選択部（ＣＨ推定選択部）２０９，２１０へ導かれ、該信号と個別パイロットから得られた伝搬路推定値のうちの一方を選択し、同期検波部２１１，２１３において該選択信号の複素共役を乗算することにより、同期検波を行う。なお、伝搬路推定値選択部２０９と同期検波部２１３との間には、アンテナ合成部（ＡＮＴ合成部）が設けられている。
【００４１】
送信ダイバーシチ補正部２０７では、後述する基地局からの送信信号位相判定結果に基づいて、一方のアンテナ受信信号位相を補正する。制御信号のための同期検波部２１１では、遅延を生じることなくクローズドループ電力制御をとるために、伝搬路推定値を外挿補間することにより検波を行う。
【００４２】
一方、通信チャネルのための同期検波部２１３では、検波時の信号の信頼度を増すために、バッファ２１２で１スロット分のシンボルを溜めこみ、伝搬路推定値平均部（ＣＨ推定平均部）２０８においてｌスロット分の伝搬路推定値の平均をとることにより、同期検波を行う。
【００４３】
同期検波部２１３からの出力信号は、ＳＴＴＤデコード部（ＳＴＴＤ  ｄｅｃｏｄｅ部）２１５に導かれ、ＳＴＴＤデコードが必要であれば該処理を行う。もし、送信信号がＳＴＴＤエンコードされていなければ、処理を行わずに信号がそのまま出力される。
【００４４】
上述した各処理は、各復調パス毎に行われるので、各パス毎の復調信号は、ＲＡＫＥ合成部２２２でタイミングを合わせて合成され、１つの出力信号が得られる。パスが１つしかなく、一つのパスのみ復調する場合には、ＲＡＫＥ合成部２２２が不要である。
【００４５】
また、制御信号側の同期検波部２１１からの出力信号は、パイロット分離部２１４に入力され、個別パイロットとそれ以外の制御信号に分離される。個別パイロット以外の送信電力制御ビット等の制御信号は、ＳＴＴＤデコード部（ＳＴＴＤ  ｄｅｃｏｄｅ部）２１６に導かれ、ＳＴＴＤエンコードされていればＳＴＴＤデコードされる。そして、各パス毎に得られた該信号をＲＡＫＥ合成部（ＢＴＳ毎ＲＡＫＥ合成部）２２３においてＲＡＫＥ合成される。
【００４６】
ＲＡＫＥ合成部２２３の出力信号は、ＴＰＣ判定部２２５に入力され、クローズドループ送信電力制御のための制御コマンドを判定し、変調／送信部１０４（図１参照）からの送信電力を制御する。
【００４７】
また、個別パイロットは、ＲＡＫＥ合成部（ＢＴＳ毎ＲＡＫＥ合成部）２１７において各パス毎にＲＡＫＥ合成される。ＲＡＫＥ合成後の信号は、ＳＴＴＤデコード部（ＳＴＴＤ  ｄｅｃｏｄｅ部）２１８において、送信信号がＳＴＴＤエンコードされていれば、ＳＴＴＤデコードする。この場合、ＲＡＫＥ合成後の信号に対してＳＴＴＤデコードするため、ＳＴＴＤデコード部２１８が各パス毎に不必要となり、回路構成が簡単となる。なお、このような構成は、通信チャネル復調、ＴＰＣ判定の際にも適用可能である。
【００４８】
ＳＴＴＤデコード部２１８の出力信号は、ＳＩＲ計算部２２１、同期判定処理部（ＳＷ判定処理部）２１９に入力される。ＳＩＲ計算部２２１では、受信シンボルの強度と分散から信号の受信ＳＩＲが計算され、計算結果は上りＴＰＣビット判定部２２０においてクローズドループ上り電力制御データ生成に利用される。
【００４９】
たとえば、受信ＳＩＲと所望ＳＩＲを比較し、ＳＩＲが所望値になるよう上り送信フレーム中の電力制御ビットを設定する。また、個別パイロットの受信ビット数を多くして、受信強度分散値の計算精度を向上させる方策をとる場合もある。また、ＳＩＲ計算をＳＴＴＤデコードしない信号で行う方式も可能である。
【００５０】
また、同期判定処理部２１９では、１フレーム単位で個別パイロットの同期が監視され、フレーム同期の判定処理が行われる。また、基地局アンテナ毎に分離した共通パイロット信号は、送信アンテナ設定内容計算部（ＣＨ推定・同期検波部）２２６，２２７に入力され、スロット単位で基地局における送信アンテナ設定内容の計算が行われる。たとえば、基地局からの送信信号位相が０度と１８０度の２種類をとる設定の場合には、２つのアンテナからの各パス毎の共通パイロット復調出力を０度と１８０度で合成し、２つの合成出力信号を得る。
【００５１】
合成出力信号は、それぞれＲＡＫＥ合成部（ＢＴＳ毎ＲＡＫＥ合成部）２２８，２２９に入力され、パス毎に合成される。ＲＡＫＥ合成部２２８，２２９からの２つの出力信号は、送信ダイバーシチ重み計算部２３２に入力され、基地局からの送信信号の重み、すなわち送信信号位相として、０度と１８０度のうちどちらが受信強度が高くなるかを判定し、上り送信信号で挿入すべき送信ダイバーシチ制御ビットをプロトコル処理部１０９（図１参照）に送信し、プロトコル処理部１０９において上り送信データに多重する。
【００５２】
共通パイロットと個別パイロットのそれぞれから求められた伝搬路推定値は、送信アンテナ位相判定部２３０にも入力される。この送信アンテナ位相判定部２３０は、実際に基地局から送信された信号の位相を判定する。判定結果は、送信ダイバーシチの補正部２０７、ＳＴＴＤデコード部２１５，２１６，２１８，ＳＩＲ計算部２２１に入力され、デコード時の基地局送信信号の補正に利用される。
【００５３】
なお、上述した説明では、基地局からの送信信号位相が０度と１８０度の場合について説明したが、本発明はこれに限定されず、これ以外の３個以上の位相が設定される場合や、振幅に重みがつけられる場合等にも適用可能である。
【００５４】
図４は、本発明の他の実施例に係る受信装置のブロック図である。なお、図４において、上述した図３に示す受信装置と同様の機能を有する部分には、同一の符号を付して説明を行う。
【００５５】
図４に示す受信装置は、チャネル間レベル比測定部２３１の出力を伝搬路推定値に対して補正するのではなく、ＲＡＫＥ合成部２１７，２２２，２２３において補正する場合の実施例である。
【００５６】
この受信装置のＲＡＫＥ合成部２１７，２２２，２２３では、図４に示すように、各パスの出力信号に補正値ｒを乗算して合成する。本実施例では、複数のＲＡＫＥ合成部２１７，２２２，２２３において補正する必要があるが、伝搬路推定値の桁数を少なくできる利点がある。また、パスが１つしかなく、１つのパスのみを復調する場合には、ＲＡＫＥ合成部２１７，２２２，２２３は不要となる。
【００５７】
なお、本発明の信号復調方法および受信装置は、上述した実施例に限定されるものではなく、その実施の形態に合わせて種々変更して応用可能であることは言うまでもない。
【００５８】
【発明の効果】
本発明の信号復調方法および受信装置は、上述した構成を備えているため、共通パイロットと個別パイロットが併用されるＣＤＭＡ移動通信システムにおいて信頼度の高いＲＡＫＥ受信を実現することが可能となる。
【００５９】
また、送信ダイバーシチ、クローズドループ下り送信電力制御とソフトハンドオーバーが併用される場合にも、信頼度の高いＲＡＫＥ受信を実現することが可能となる。
【図面の簡単な説明】
【図１】本発明の一実施例に係る受信装置の概略構成を示すブロック図。
【図２】基地局からの送信信号フォーマットを示す説明図。
【図３】逆拡散／同期／復調部および信号制御／補正計算部の要部を示すプロック図。
【図４】本発明の他の実施例に係る受信装置における逆拡散／同期／復調部および信号制御／補正計算部の要部を示すプロック図。
【図５】従来の受信装置の概略構成を示すブロック図。
【符号の説明】
１０１−ｌ〜ｎ  ：  基地局
１０２  ：  移動機
１０３  ：  受信部
１０４  ：  変調／送信部
１０５  ：  パスサーチ部
１０６  ：  逆拡散／同期／復調部
１０７  ：  信号制御／補正計算部
１０８  ：  システム制御部
１０９  ：  プロトコル処理部
１１０  ：  アプリケーション部
１１１−ｌａ，１１１・ｌｂ〜１１１・１ｎ  ：  基地局アンテナ
２０１  ：  共通パイロット逆拡散部
２０２  ：  アンテナ分離部
２０３  ：  通信チャネル逆拡散部
２０４  ：  共通パイロット伝搬路推定部
２０５  ：  伝搬路推定部
２０６  ：  チャネル間レベル補正部
２０７  ：  送信ダイバーシチ補正部
２０８  ：  伝搬路推定値平均部
２０９  ：  伝搬路推定値選択部
２１０  ：  伝搬路推定値選択部
２１１  ：  同期検波部
２１２  ：  バッファ
２１３  ：  同期検波部
２１４  ：  パイロット分離部
２１５  ：  ＳＴＴＤデコード部
２１６  ：  ＳＴＴＤデコード部
２１７  ：  ＲＡＫＥ合成部
２１８  ：  ＳＴＴＤデコード部
２１９  ：  同期判定処理部
２２０  ：  上りＴＰＣビット判定部
２２１  ：  ＳＩＲ計算部
２２２  ：  ＲＡＫＥ合成部
２２３  ：  ＲＡＫＥ合成部
２２４  ：  アンテナ合成部
２２５  ：  ＴＰＣ判定部
２２６  ：  送信アンテナ設定内容計算部
２２７  ：  送信アンテナ設定内容計算部
２２８  ：  ＲＡＫＥ合成部
２２９  ：  ＲＡＫＥ合成部
２３０  ：  送信アンテナ位相判定部
２３１  ：  チャネル間レベル比測定部
２３２  ：  送信ダイバーシチ重み計算部
５１  ：  アンテナ
５２  ：  ＲＦ増幅部
５３  ：  周波数変換部
５４  ：  逆拡散／同期部
５５  ：  情報復調部
５６  ：  パスサーチ部
５７  ：  復調データ
【図１】
0003628247.tif 000002
【図２】
0003628247.tif 000003
【図３】
0003628247.tif 000004
【図４】
0003628247.tif 000005
【図５】
0003628247.tif 000006